(57)【要約】【課題】自重によって塩水を洗浄槽に供給すると言う簡素な装置構成を保ったまま、所定時間水道水を食塩槽内に滞留させ、食塩が十分溶け込むのを待って、必要時に塩水をイオン交換槽を経て、洗浄槽に供給することのできる装置の提供および、十分な軟水を得られる様に、軟水用に供給した水道水の全量がイオン交換槽を通るようにできる装置の提供。【構成】食塩を水道水に漬けることで塩水を生成する塩水生成手段に所定量の水道水を供給する給水手段と、上記給水手段とは独立して制御され、上記給水手段により塩水生成手段内に供給された水と上記イオン交換手段内の水とを接続させる通水手段と、上記塩水生成手段から上記塩水供給水路を通ってイオン交換手段へ供給される所定の塩水量を必要なタイミングに調整する塩水供給タイミング調整手段とを備えてなる食器洗い乾燥機。【選択図】図１
2004081705.tif 000002
【特許請求の範囲】
【請求項１】
食器を載置するかごを収納する洗浄槽と、
水に含まれる硬度成分のイオン交換を行うイオン交換手段と、
上記イオン交換手段に水道水を通過させることによって水道水中の＋イオンを吸着し水道水を軟水化する軟水生成手段と、
食塩を水道水に漬けることで塩水を生成する塩水生成手段と、
上記塩水生成手段で生成された塩水を自重により上記イオン交換手段に供給して該イオン交換手段に固定された硬度成分をイオン交換手段から離脱させて硬水を生成し、生成された硬水を上記洗浄槽に供給する硬水供給手段と、
上記洗浄槽内に供給された硬水或は軟水を上記かご内の食器に噴射するための循環手段と、
洗い終わった食器を高温空気にさらして食器を乾燥させる乾燥手段と、
上記給水手段、循環手段及び乾燥手段を制御する制御手段とを備えてなる食器洗い乾燥機において、
上記食塩水生成手段に所定量の水道水を供給する給水手段と、
上記給水手段とは独立して制御され、上記給水手段により塩水生成手段内に供給された水と上記イオン交換手段内の水とを接続させる通水手段と、
上記塩水生成手段から上記塩水供給水路を通ってイオン交換手段へ供給される所定の塩水量を所定のタイミングに調整する塩水供給タイミング調整手段とを備えてなることを特徴とする食器洗い乾燥機。
【請求項２】
上記通水手段が所定値以下の水圧のもとでは、導通することによって双方向の水の流通を可能とし、所定値を超える水圧のもとでは、上記イオン交換手段から上記塩水生成手段への水の流入を阻止する第１の弁手段を含んでなる請求項１記載の食器洗い乾燥機。
【請求項３】
上記通水手段が、上記塩水生成手段内の水量が所定量以上では上記塩水生成手段内の塩水と上記塩水供給水路内の水とを接続させ、上記塩水量が所定値を超えて少なくなると上記接続を遮断するサイフォン機構を含んでなる請求項１或は２のいずれかに記載の食器洗い乾燥機。
【請求項４】
上記塩水生成手段が上記食器洗い乾燥機の上段に設けられてなる請求項１〜３のいずれかに記載の食器洗い乾燥機。
【請求項５】
上記イオン交換手段から洗浄槽への管路中に、所定以上の水圧がかかった場合には、上記管路中の水の洗浄槽への流入を阻止し、上記所定値未満の水圧のもとでは、上記管路中の水の洗浄槽への流入を許容する第２の弁手段が設けられてなる請求項１〜４のいずれかに記載の食器洗い乾燥機。
【請求項６】
上記塩水生成手段に、注水された水道水のレベルを所定レベル以下に規制するオーバーフロー開口が形成されてなる請求項１〜５のいずれかに記載の食器洗い乾燥機。
【請求項７】
上記塩水生成手段と上記イオン交換手段とを接続する管路に、出口が第１の弁手段の位置より高く設定されてなる給水管路が接続されてなる請求項２〜６のいずれかに記載の食器洗い乾燥機。
【請求項８】
上記給水手段の作動から上記通水手段の作動までの間に所定の時間差が設けられてなる請求項１〜７のいずれかに記載の食器洗い乾燥機。
【請求項９】
上記時間差が、上記給水手段に供給される水の温度に基づいて設定されてなる請求項１〜８のいずれかに記載の食器洗い乾燥機。
【発明の詳細な説明】
【０００１】
【発明の属する技術分野】
本発明は、食器洗い乾燥機の改良、特に食器の洗浄には硬水を使用し、すすぎには軟水を使用することで洗剤の使用量を減らすことに成功した食器洗い乾燥機に関し、特に硬水の合理的な生成を簡素な装置によって達成することのできる食器洗い乾燥機に関するものである。
【０００２】
【従来の技術】
図２に示す従来の食器洗い乾燥機では、洗浄槽２の中に食器かご１３に設置された食器類４８が収められている。運転にあたり、洗剤を投入した後、ドアを閉め、スタートボタンを押すことにより運転が開始される。
まず、給水弁１５の開動作により水道接続部１４から給水管１６を通って、給水口１７より洗浄槽２の中に給水され、ヒータ４が浸漬する以上の水位まで溜まっていく。洗浄可能な水位にまで給水が溜まり、図示しない水位センサが水位を検知したら、制御回路１２は、給水弁１５の開動作を停止し、給水を停止させ、以後の一連の動作を自動的に遂行していく。
給水停止と同時にモータ８が正回転し、モータ軸に接続されたポンプ７のインペラも回転を開始する。これにより、ボンプは洗浄槽２の底部から吸込管６を介して水を洗浄吐出管９へと圧送する。さらに水は洗浄吐出管９から回転ノズル１１へと供給され、ノズル開口部から上部に設置された食器類４８へと勢いよく噴射されて、循環を繰返す。
このとき、必要に応じてヒータ４への通電が行なわれ、給水が加熱される。これにより回転ノズル１１から噴射される洗浄水の機械力と、熱と、洗剤の作用により、汚れが食器から溶解、分離し、食器の洗浄が促進される。洗浄水が設定温度に到達するか、設定時間が経過すると、洗浄工程を終了し、モータ８を逆回転させて、洗浄槽２内の汚れた洗浄水を排水吐出管１０を経て、排水口１３から洗浄槽の外部へ排出させる。次に、給水弁１５を開動作させて、新たな水道水の供給を行ない、すすぎ工程へと進む。
すすぎ工程では、ポンプ７を正回転させて、回転ノズル１１から噴射される水で食器類４８をすすいだ後、再びボンプ７を逆回転させて排水する工程を数回繰返して、食器および洗浄槽に残っている汚れや洗剤を排出させてすすぐ。このとき、最終すすぎ工程では、ヒータで加熱して高温の水ですすぐ。
最終すすぎ工程の排水が行なわれて全すすぎ工程が終了すると、図示しない送風ファンが運転開始されて乾燥工程が開始される。乾燥工程では、洗浄槽２内へ外部からの送風が行なわれ、ドア付近に開口した排気口から排気されるとともに、ヒータ４への断続連転が行なわれて、食器類４８と洗浄槽２内部の乾燥が行なわれる。任意時間の乾燥運転が終了すると、送風ファンおよびヒータの運転が切れ、全工程が終了する。
【０００３】
近年、環境問題に関する意識が高まるとともに、洗剤排水による環境への負荷が重要視されている。洗剤を投入せずに食器洗い乾燥機で食器の洗浄を行なう場合、澱粉、タンパク質、油脂などの汚れのうち、澱粉汚れは十分な温度と時間を費やせば機械力と熱だけで洗浄可能である。
また、油汚れも温度を上げれば食器から分離できるが、洗剤なしでは再付着を生じて、洗い上がりがぬめりを生じたり、ガラス製品が曇りやすくなる。さらに、卵等のタンパク質汚れは、他の汚れと異なり温度が高くなると変性を生じて硬くなってしまうため、洗剤なしでは洗浄困難である。
更に、通常の水道水を用いてすすぎを行なうと、水道水中のＣａイオン、Ｍｇイオンなどの硬度成分が、炭酸カルシウム等となって食器の表面に白く残り、いわゆるウォータースポットを生じてしまう。特に欧州では水道水の硬度が高いために、ウォータースボットが生じやすい。そこで、欧州ではイオン交換樹脂を用いて水道水を軟水化して給水する食器洗い乾燥機が製品化されている。
日本の水道水は欧州と比べて硬度成分の少ない軟水であるが、それでも食器表面に油脂成分等の汚れが少しでも残留していると、硬度成分が結合してしまい曇りを生じやすい。これに対応して、特開２ＯＯ０−３００４９４号公報では、給水経路にイオン交換装置を配設し、洗浄工程および最終すすぎ工程のどちらかー方または両方において、水道水を軟水化させる構造が提案されている。
また、イオン交換装置で水道水を軟水化する場合、軟水化の処理の進行に応じてイオン交換樹脂にＣａイオンなどが固定され、徐々に軟水化の効果が低下していく。そのため、たとえば特開２００１−２３８８４５号公報では、さらに軟水化装置の再生手段を設けて最終すすぎ工程前に再生手段で再生させる構造のものが提案されている。
しかしながら、これらの従来提案では、いずれにおいても、水道水を軟水化させて、洗浄およびすすぎを行なうだけで洗浄効果としては限界がある。また後者において、再生時に再生剤によって軟水化装置から脱離した硬度成分を単に排水して捨てているだけであり、硬度成分および塩分中のＮａイオンの洗浄処理への効率的使用は行われていない。
そこで出願人は、イオン交換樹脂の再生時に、従来は捨てられていたＣａイオンなどの硬度成分を硬水による洗浄工程に再利用できるようにした発明を行い、すでに出願した（特願２００１−３９９７４８）。
【０００４】
このような改良された食器洗い乾燥機が図２に示されている。
図２に示すように、この食器洗い乾燥機Ａは、キャビネット１と洗浄槽２を備え、洗浄槽２内には、食器類４８を収納する食器かご３が前方へスライド可能に収まっている。洗浄槽２の底部には、モータ８の軸に接続されたボンプ７が配設されている。ボンプ７は、たとえば正逆回転式のモータにより駆動されるポンプケーシングには吸込口が１ケ所と排出口が２ケ所形成されており、吐出口はそれぞれ洗浄吐出管９と排水吐出管１Ｏに連結されている。両吐出口には切換弁が配設され、一方の吐出口が開く構造となっており、正回転の場合には、吸込管６から吸い込んだ水がポンプインペラ９の回転によるケーシング内流れの動圧で切換弁が排水吐出口を閉鎖して、水を洗浄吐出管９へと圧送し、逆回転の場合には切換弁が洗浄吐出口を閉鎖して、水を排水吐出管１０へと圧送する構造となっている。
ポンプ７が正回転することによって洗浄槽内に溜められた洗浄水は、残渣フィルタ５を通過し、吸込管６から洗浄吐出管９を経て、回転ノズル１１へと圧送され、回転ノズル１１の直上に収納された食器類４８に噴射される。
ポンプ７が逆回転すると、洗浄槽２内に溜まった水は、吸込管６から排水吐出管１０を経て、排水口１３から外部へ排出される。
ポンプ７としては、ほかに１個のモータ軸に２室のケーシングを有してそれぞれの室に吸込口と吐出口が形成され、洗浄用と排水用のインペラを配設して、正逆回転により洗浄と排水を切換える方式のものなどが使われる。また、洗浄用ポンプおよびモータと排水用ポンプおよぴモータは独立に設けられる場合がある。
洗浄槽２の底部付近には、洗浄水を加熱したり、乾燥時には洗浄槽内の空気を加熱乾燥するためのヒータ４が配設されている。また、キャビネット底付近には、洗浄からすすぎを経て乾燥に至る一連のシーケンスを各種センサを用いて実行、制御するための制御回路１２が配設されている。
水道接続部１４は、水道蛇ロからホースを介して水道水をシステム内に供給させるものであり、この後で、２方向に分枝し、一方は硬水給水弁３０を経て、オーバーフロータンク給水管３６からオーバーフロータンク３７へと給水する。また、一方は、軟水給水弁２９を経てイオン交換槽３１へと接続されている。
オーバーフロータンク３７には堰が２ケ所設けてあり、一方の堰に溜まったみずは戻し水タンク３９へと、他方は食塩槽４３へと流れ出る構造となっている。
戻し水タンク３９の底部には、戻し水給水管４Ｏが接続されて、洗浄槽２の一部に形成された戻し水給水口４１と連通している。食塩槽４３の中には食塩４５を収める食塩かご４４が収納されており、食塩かご４４はどの面からも水を内部へ浸入できるように構成されている。また、食塩かご４４は、洗浄槽２の一部に形成された食塩かご投入口４６を開いて食塩槽４３から食塩４５を取出し、或は食塩４５を食塩かご４４に補充できるよう構成されている。食塩槽４３の底には開口があり、食塩槽下方に配設されたイオン交換槽３１の上部と塩水給水管４７で連通している。
イオン交換槽３１の上部側面は洗浄槽２に形成された軟水給水口３３と連通している。
【０００５】
またイオン交換槽３１の下部空間は、軟水給水弁２９からの給水経路に連通し、さらにイオン交換槽３１の底部には、洗浄槽２の最底部付近と連通する硬水給水管３４が接続されている。
このような構成の食器洗い乾燥機においては、まず、食器類を槽内に収容して洗剤を投入せずにドアを閉めた後、洗浄開始すると、硬水給水弁２９が開き、水道水がオーバーフロータンク３７へと給水される。
オーバーフロータンク３７に給水された水道水は、ここでオーバーフローにより戻し水タンク３９と食塩槽４３に任意の割合で分配されて供給される。戻し水タンク３９に供給された水は戻し水給水口４１からの水道水のまま洗浄槽２へ給水され、他方の食塩槽４３に供給された水は、食塩かご４４の中に浸入していき、内部に蓄えられた食塩４５を溶解して塩水となり、底部の塩水給水管４７からイオン交換槽３１へ供給される。
イオン交換槽３１の上部空間に給水された塩水は、イオン交換体３２の上部から自重により下方へ染み込んでいき、下部空間に滴下する。このときイオン交換体３２には予め前回の運転時のすすぎ工程における軟水化により、水道水中に含まれるＣａイオン、Ｍｇイオンなどの硬度成分が吸着されており、これらのＣａイオンやＭｇイオンなどが、塩水中のＮａイオンとイオン交換する。したがって、イオン交換体３２中を通る塩水には、Ｎａイオンとイオン交換されたＣａイオンやＭｇイオンなどの硬度成分が多く溶け込んでいる。
こうして生成された硬水は硬水給水管３４を経て、硬水給水口３５から洗浄槽２へ流入して溜まっていく。
洗浄槽２内の水位が洗浄開始水位に達すると、硬水給水弁３Ｏが閉じ、ポンプの正回転が始まり、硬度の高い洗浄水による洗浄工程が始まる。洗浄工程の運転方法は、すでに述べたとおりである。
このようにこの食器洗い乾燥機によれば、硬度の高い塩水で洗浄することにより、Ｃａイオン、Ｍｇイオン、Ｎａイオンによる塩溶効果で卵等のタンパク質が容易に溶け、洗剤なしでも良好な洗浄性能が得られる。
また、Ｎａイオンが存在するため、低い硬度で汚れを溶解させることが可能である。
さらに洗浄工程終了後のすすぎ工程開始にあたっては、軟水給水弁２９が開き、水道水がイオン交換槽３１の下部空間に給水される。この給水のうちの一部は、硬水給水管３４を通って洗浄槽２内に流入するが、残部はイオン交換体３２を通過し、イオン交換槽３１の上部空間を経て、軟水給水口３３から洗浄槽内に給水される。
このとき、前工程である洗浄工程の開始時において、イオン交換体３２は塩水によりＣａイオンおよびＭｇィオンが脱離されて、イオン交換体のイオン交換能力（軟水化力）は十分に回復しているため、水道水はイオン交換体を通過する間に硬度成分をイオン交換して軟水化される。こうして、軟水となり、軟水給水口３３から洗浄槽２内へ給水され、良好なすすぎ工程が開始される。
【０００６】
【発明が解決しようとする課題】
このように本出願人がすでに出願した特願２００１−３９９７４８号にかかる食器洗い乾燥機では、以前の軟水によるすすぎ工程で、イオン交換槽３１に蓄えたＣａイオンやＭｇイオンなどの硬度成分を、これから開始しようとする硬水による洗浄処理に用いるものであるので、洗浄処理を行うその都度、イオン交換槽３１内のイオン交換体３２を蘇生させることが出来、高価なイオン交換体の寿命の長期化が達成される点で優秀な食器洗い乾燥機を提供しうるものである。
しかしながらこの食器洗い乾燥機では、洗浄のための硬水を得ようとする時に、オーバーフロータンク３７に給水された水道水の一部が、食塩槽４３に分配供給され、食塩かご４４の中に浸入していき、内部に蓄えられた食塩４５を溶解して塩水となり、底部の塩水給水管４７から自重でそのままイオン交換槽３１へ供給され、イオン交換体３２に固定されたＣａイオンやＭｇイオンなどの硬度成分を多く含む硬水となって洗浄槽２に供給されるという構成をとっている。
この構成では、食塩槽４３に供給された水が、塩水となって自重により洗浄槽２まで流下する手段を採用しているので、装置としての簡素化は限りなく達成されていると言える。
しかしながら、この食器洗い乾燥機では、上記したように食塩槽４３に供給された水道水は、食塩槽４３からそのままイオン交換槽３１に流れ込む構成になっているので、食塩を十分に溶かす間もなくイオン交換槽３１に流れ込んでしまうことになり、十分に高濃度の食塩水をイオン交換槽３１に供給することが出来ず、結果的に十分な濃度の硬水を得ることが出来ない。そのため、十分な洗浄が達成されない。
この問題を解決するには、水道水を所定時間食塩槽４３内に滞留させて、食塩が十分に水道水に融け込むまで待つ必要があるが、装置の簡素化を達成するために自重を用いて食塩槽４３からイオン交換槽３１への塩水の供給を行なうことを前提としたこの従来装置では、上記のような水道水の食塩槽４３内での所定時間に及ぶ滞留を達成することは簡単ではない。
またこの構成では、軟水を生成する為に、軟水給水弁２９を開くと、軟水給水弁２９を通る水道水の多くは、硬水給水管３４を通って洗浄槽２へ流入してしまい、イオン交換槽３１へ導かれる量が少ないので、得られる軟水の量が十分でないという欠点を有している。
本発明は以上の状況に鑑みてなされたものであり、自重によって塩水を洗浄槽に供給すると言う簡素な装置構成を保ったまま、所定時間水道水を食塩槽内に滞留させ、食塩が十分溶け込むのを待って、必要時に所定の塩水量をイオン交換槽を経て、洗浄槽に供給することのできる装置の提供を第１の目的とする。
また、十分な軟水を得られる様に、軟水用に供給した水道水の全量がイオン交換槽を通るようにできる装置の提供を第２の目的とする。
【０００７】
【課題を解決するための手段】
上記目的を達成するために本発明が採用する手段は、
食器を載置するかごを収納する洗浄槽と、
水に含まれる硬度成分のイオン交換を行うイオン交換手段と、
上記イオン交換手段に水道水を通過させることによって水道水中の＋イオンを吸着し水道水を軟水化する軟水生成手段と、
食塩を水道水に漬けることで塩水を生成する塩水生成手段と、
上記塩水生成手段で生成された塩水を自重により上記イオン交換手段に供給して該イオン交換手段に固定された硬度成分をイオン交換手段から離脱させて硬水を生成し、生成された硬水を上記洗浄槽に供給する硬水供給手段と、
上記洗浄槽内に供給された硬水或は軟水を上記かご内の食器に噴射するための循環手段と、
洗い終わった食器を高温空気にさらして食器を乾燥させる乾燥手段と、
上記給水手段、循環手段及び乾燥手段を制御する制御手段とを備えてなる食器洗い乾燥機において、
上記食塩水生成手段に所定量の水道水を供給する給水手段と、
上記給水手段とは独立して制御され、上記給水手段により塩水生成手段内に供給された水と上記イオン交換手段内の水とを接続させる通水手段と、
上記塩水生成手段から上記塩水供給水路を通ってイオン交換手段へ供給される所定の塩水量を所定のタイミングに調整する塩水供給タイミング調整手段とを備えてなることを特徴とする食器洗い乾燥機である。
上記通水手段として、所定値以下の水圧のもとでは、導通することによって双方向の水の流通を可能とし、所定値を超える水圧のもとでは、上記イオン交換手段から上記塩水生成手段への水の流入を阻止する第１の弁手段を含んで構成することができる。
また、上記通水手段として、上記塩水生成手段内の水量が所定量以上では上記塩水生成手段内の塩水と上記塩水供給水路内の水とを接続させ、上記塩水量が所定値を超えて少なくなると上記接続を遮断するサイフォン機構を含んで構成することも可能である。
【０００８】
更に又、上記塩水生成手段を上記食器洗い乾燥機の上段に設けらることが望ましい。
上記イオン交換手段から洗浄槽への管路中に、所定以上の水圧がかかった場合には、上記管路中の水の洗浄槽への流入を阻止し、上記所定値未満の水圧のもとでは、上記管路中の水の洗浄槽への流入を許容する第２の弁手段を設けることができる。
上記塩水生成手段に、注水された水道水のレベルを所定レベル以下に規制するオーバーフロー開口を形成する事が本発明の目的にかなう。
上記塩水生成手段と上記イオン交換手段とを接続する管路に、出口が第１の弁手段の位置より高く設定されてなる給水管路を接続することで本発明の効果は更に高度に達成される。
上記給水手段の作動から上記通水手段の作動までの間に所定の時間差を設けることで、食塩槽内の塩の溶解が促進される。
上記時間差を、上記給水手段に供給される水の温度に基づいて設定することで、上記時間差を適切に設定することができる。
【０００９】
【作用】
本発明においては、上記食塩水生成手段に所定量の水道水を供給する給水手段と、上記給水手段とは独立して制御され、上記給水手段により塩水生成手段内に供給された水と上記イオン交換手段内の水とを接続させる通水手段と、上記塩水生成手段から上記塩水供給水路を通ってイオン交換手段へ供給される所定の塩水量を所定のタイミングに調整する塩水供給タイミング調整手段とが備えられているので、まず上記給水手段により十分な濃度の食塩水を作ることができる。その後、通水手段が上記食塩水生成手段に生成された塩水とイオン交換手段内の水を接続させるので、食塩水生成手段内の塩水は、洗浄槽に供給され、洗浄槽内に十分な硬水が供給される。
その際、上記塩水供給タイミング調整手段により、イオン交換手段に供給される塩水の量が適正なタイミングに供給されるので、適切な量の硬水を得ることが出来、十分な洗浄が可能となる。
上記通水手段として、所定値以下の水圧のもとでは、導通することによって双方向の水の流通を可能とし、所定値を超える水圧のもとでは、上記イオン交換手段から上記塩水生成手段への水の流入を阻止する第１の弁手段を含んで構成することができるが、この場合には、上記第１の弁手段を通る水道水の圧力を適切に調節するだけで、簡単に通水状態を得ることができる。
さらに上記通水手段が、上記塩水生成手段内の水量が所定量以上では上記塩水生成手段内の塩水と上記塩水供給水路内の水とを接続させ、上記塩水量が所定値を超えて少なくなると上記接続を遮断するサイフォン機構を含んでいる場合には、サイフォン機構に僅かな呼び水を挿すだけで、通水状態を得ることが出来、構成の簡素化を促進することができる。
上記サイフォンの原理を用いて塩水の自重で塩水を食塩水生成手段からイオン交換手段、更には洗浄槽に供給する場合には、塩水の自重が十分に発揮できるように、塩水生成手段が高い位置に設けられなければならない。この構成により、簡単に自重による塩水のイオン交換手段への供給が達成される。
上記イオン交換手段から洗浄槽への管路中に、所定以上の水圧がかかった場合には、上記管路中の水の洗浄槽への流入を阻止し、上記所定値未満の水圧のもとでは、上記管路中の水の洗浄槽への流入を許容する第２の弁手段が設けられた場合には、イオン交換手段に供給される水道水が、イオン交換機に供給される前に洗浄槽に流入してしまう不都合が回避され、効率の良いすすぎ処理が実現される。
上記塩水生成手段に、注水された水道水のレベルを所定レベル以下に規制するオーバーフロー開口を形成することで、簡単に塩水生成手段に溜められる塩水の量を所定量に調整することができる。
上記塩水生成手段と上記イオン交換手段とを接続する管路に、出口が第１の弁手段の位置より高く設定されてなる給水管路を接続すれば、イオン交換手段でイオン交換された軟水をこの給水管から洗浄槽に供給できると共に、イオン交換手段から塩水生成手段に送り込まれる少量の水が、塩水生成手段に行く前に洗浄槽に排出されてしまうということがなくなる。
上記給水手段の作動から上記通水手段の作動までの間に所定の時間差が設けることで、その間に食塩の溶解が進み、十分な濃度と量の食塩水を得ることに成功する。
上記食塩の溶解量は、溶解させる水道水の温度に大きく依存するので、上記給水手段に供給される水の温度に基づいて時間差を設定することで、食塩水の濃度を適切に調節することができる。
【００１０】
【発明の実施の形態】
続いて本発明の一実施形態にかかる食器洗い乾燥機Ｂの構造について図を参照して説明する。
ここに図１は、本発明の一実施形態にかかる食器洗い乾燥機Ｂの流水経路を含む全体構成図である。
図に示すようにこの食器洗い乾燥機Ｂは、図２に示した従来の食器洗い乾燥機Ａと共通の多くの構成要素を具備している。
例えば本体キャビネット１内に設けられた洗浄槽２には、食器類４８を収納する食器かご３が設けられており、上記洗浄槽２の下部には、該洗浄槽２の底に溜まった洗浄水を加熱するヒータ４、食器類４８に洗浄水を噴射する回転ノズル１１、上記洗浄水を上記回転ノズル１１に送り込むポンプ７、該ポンプ７を駆動するモータ８、洗浄槽２内の残渣から水を濾し取る残渣フィルタ５、及び洗浄槽２に軟水を供給するためのイオン交換槽３１、該イオン交換槽３１内のイオン交換体３２からＣａイオンなどを離脱させるための食塩水を上記イオン交換槽３１に供給する食塩槽４３等を具備する点において、図２に示した食器洗い乾燥機Ａと共通である。
しかしながらこの実施形態にかかる食器洗い乾燥機Ｂにおいては、上記イオン交換槽３２及び食塩槽４３を用いて硬水を得るための流水経路、更には、上記洗浄槽２の下部に設けられた超音波振動子１００を含む超音波霧化ユニット１００ａ及びこの超音波霧化ユニット１００ａの制御手法などにおいて図２に示した従来の食器洗い乾燥機Ａとは大きく異なるものである。
まず上記流水経路の特徴点について図を参照して説明する。
図１に示すように、水道管に接続された水道接続部１４には、３個の給水弁Ｖ１，Ｖ２，Ｖ３が接続されている。
第１の給水弁Ｖ１には、呼び水用導水管１０１が接続され、この呼び水用導水管１０１は、食器洗い乾燥機Ｂの最上段に設けられた前記食塩槽４３の呼び水給水室１０２内にその出口１０１ａが突出している。
ここで前記食塩槽４３の詳細構造について図３を参照して説明する。
ここに図３（ａ）は、食塩槽４３の正面図、（ｂ）は、その平面図、（ｃ）は、（ａ）におけるＹ矢視図であり、また図４は食塩槽４３に塩を供給する状態を示す分解斜視図である。
図３及び図４に示すごとく、食塩槽４３は、図１には図示されていない開閉自在の外箱１０３内に収納されており、食塩４５を収納する食塩かご４４を若干浮かせた状態で保持する食塩室１０４と、前記呼び水用導水管１０１の出口部１０１ａが突出する呼び水給水室１０２と、内部に下向きに開放されたサイフォンキャップ１０５を具備し、該サイフォンキャップ１０５内に、導水管１０６の出口１０６ａを臨ませた導水室１０７とを具備している。
上記呼び水給水室１０２、食塩室１０４及び導水室１０７は、全て連通している。
【００１１】
また食塩槽４３の側面には、オーバーフロー開口１０８が形成されている。上記オーバーフロー開口１０８の下縁１０８ａのレベルは、食塩水の最高水面レベル１０９をなし、食塩槽４３内に蓄えられる水のレベルは上記オーバーフロー開口１０８があるために上記最高水面レベル１０９を超えることはない。
また上記導水管１０６の出口１０６ａ及び前記呼び水導水管１０１の出口１０１ａは、図３（ａ）に示すように上記食塩水の最高水面レベル１０９より上方に僅かながら突出する高さに設定されている。
さらに図３（ａ）に示すように食塩室１０４内に収納された食塩かご４４の下面４４ａは、フィルターで覆われており、上記食塩水の最高水面レベル１０９よりも下方にあり、食塩槽４３内に溜められた水に上記食塩かご４４が浸かるために、上記食塩かご内の食塩は、水の中に融けていく構造となっている。
但し、上記食塩かご４４の下面４４ａは、食塩室１０４の下面１０４ａよりは高く設定され、下面１０４ａとの間に、空間が形成されているために、食塩槽４３内の水が減っていき、その水面レベルが低下していくと、食塩かご４４の底面が水面から離れ、それ以上には食塩が溶け出さない構造となっている。これにより、食塩の余分な溶け出しは防止される。
また上記サイフォンキャップ１０５は、前記導水管１０６の出口１０６ａを空間１０６ｂを介して囲む構造となっており、該サイフォンキャップ１０５の下端１０５ａは、前記食塩水の最高水面レベル１０９よりも下方に突出し、前記食塩室１０４の下面１０４ａとの間に僅かな隙間１０５ｂが形成されている。
食塩槽４３の構造は以上の通りである。
前記流水経路に戻ると、前記給水弁Ｖ２は先端１１０ａが、洗浄槽２に開放された給水管１１０に接続されている。
また給水弁Ｖ３は、給水管１１１を介して、イオン交換槽３１の下端部３１ａに接続されている。
更に上記イオン交換槽３１の下端部３１ａには、先端１１２ａが洗浄槽２の最深部に開口された軟水給水管１１２が接続されている。
また上記軟水給水管１１２の先端１１２ａには、所定値未満の水圧で開弁し、上記所定値以上の水圧では、通水を阻止するボール弁Ｂ２が設けられている。
更に、前記食塩槽４３の導水室１０７に差し込まれた前記導水管１０６の下端部１０６ｃは、前記イオン交換槽３１の上端部３１ｂに接続されており、上記下端部１０６ｃ内には、所定値以下の水圧において開弁し、上記所定値を超える水圧のもとでは通水を阻止するボール弁Ｂ１が収納されている。
また前記イオン交換槽３１の上端部３１ｂには、給水管１１３が接続され、この給水管１１３の出口部１１３ａは、上記ボール弁Ｂ１の設置位置よりも所定量上方に位置している。
【００１２】
次に図１及び図６を参照して、上記食器洗い乾燥機Ｂの制御に付いて説明する。
図５に示すように食器洗い乾燥機Ｂ内に設けられたコンピュータを含む制御手段１１４の入力部には、図示しない入力インターフェースを介して、洗浄槽２内の洗浄水の量を検出する水量センサ１１５（低レベル水位を検出する１１５ａと、通常水位を検出する１１５ｂからなる）、洗浄水の水温を検出する水温センサ１１６、図６に示す操作部１３２に設けられた電源スイッチ（電源入／切　オートオフスイッチ）１１７、スタート一時停止スイッチ１１８、給湯スイッチ１２５、乾燥時間設定スイッチ１２１、及び運転プログラムを選択するためのイオンコース選択スイッチ１２３、イオン＋洗剤コース選択スイッチ１２２、更には、塩セットスイッチ１３０、図外の扉の開閉を検出する扉閉検出スイッチ１３１が接続されている。
又上記制御手段１１４の出力側には、図外の出力インターフェースを介して、前記給水弁Ｖ１、Ｖ２、Ｖ３、洗浄ポンプ７、超音波振動子１００、ヒータ４、ドア閉状態表示ランプ１２８、食塩かご４４内の食塩が無くなったことを表示する塩補充表示ランプ１２４、選択メニュー表示部１２６、給湯ランプ１２９、乾燥用ファン１３４、進行状態標示部１２７がそれぞれ接続されている。
ここで前記イオンコース選択スイッチ１２３或はイオン＋洗剤コース選択スイッチ１２２を一回押すと、上記選択メニュー表示部１２６の標準メニューを示す「標準」ランプが点灯し、２回押すと速洗メニューが選択されたことを標示する「速洗」ランプが点灯する。さらに３回、４回と押すと、「ナイト」メニュー、「念入り」メニュー、「予洗」メニューがそれぞれ選択されたことを表示する各表示ランプが順次点灯し、各々表示されたメニューにおける洗浄、すすぎなどが操作者に選択されたことが表示される。これらの洗濯されているコース名（イオン、イオン＋洗剤）及び「標準」「速洗」「ナイト」…のメニュー名は制御部１１４に接続された記憶部Ｍに一時的に記憶される。
その状態でスタート一時停止スイッチ１１８を押すと、選択された洗浄及びすすぎのメニューが実行され、各処理の現在状態が進行表示部１２７に順次表示されていく。また乾燥時間設定スイッチ１２１を一度押すと、乾燥時間が２０分に設定され、乾燥時間表示部１２１ａにおける２０分の表示が点灯する。また２回押すと６０分の表示が点灯し、３回押すと、ドライキープの表示が点灯し、乾燥時間が設定される。
【００１３】
上記した流水経路における水、湯、或は塩水の流れに付いて、イオンコース選択スイッチ１２３が１回押されて、イオンコースの「標準」メニューが選択された場合について、図７〜１０に記載のフローチャートを参照して説明する。
ここにＳ１、Ｓ２、Ｄ３…は、処理手順（ステップ）の番号である。ここに図７はそのメインメニュー、図８は、イオンコース標準メニューの準備工程と、霧化工程を示し、図９は、同じく硬水洗浄工程と、すすぎ工程を示すフローチャート、図１０は、同じく乾燥工程を示すフローチャートである。
食器洗い乾燥機Ｂを使用するには、操作者はまず電源入／切　オートオフスイッチ１１７を押して電源をオンする。
次にイオンコースの標準メニューを選択するには、イオンコース選択スイッチ１２３を１回押し、標準メニュー表示ランプを点灯させ、次にスタート／一時停止スイッチ１１８を押す。この場合スタート／一時停止スイッチ１１８は、イオンコース選択スイッチ１２３又はイオン＋洗剤コース選択スイッチ１２２が、押されることによって、１２６で示す選択メニューのいずれかが既に選択されていることを前提としてオンされ、処理を開始する。
従って、図７に示すように電源入／切　オートオフスイッチ１１７が押されたと判断されると（Ｓ１でＹＥＳ）、続いてスタート／一時停止スイッチ１１８が押されたか否かが判断される（Ｓ２）。
上記のようにスタート／一時停止スイッチ１１８が押されることによってオンとなるためには、イオンコース選択スイッチ１２３又はイオン＋洗剤コース選択スイッチ１２２が押されて、１２６で示すいずれかのメニューが選択されていることが前提であるので、制御部１１４は、イオンコース選択スイッチ１２３がオンされているか、否かをＳ３において判断する。
ここで判断がＹＥＳであればイオンコースが選択されていると判断されるので、制御部１１４は、続いてイオンコースのうちで標準、速洗、ナイト、念入り、予洗のうちの、いずれのメニューが洗濯されているかを、記憶部Ｍからの情報に基づき判断する（Ｓ４）。
Ｓ３において、イオンコース選択スイッチ１２３が押されていないと判断された場合には、当然にイオン＋洗剤コース洗濯スイッチ１２２が押されていることになるので、Ｓ５においてイオン＋洗剤コースのうちのいずれのメニューが洗濯されているかを判断する。
以下まずＳ６で示すように、イオンコースのうちの標準メニューが選択されている場合について、図８以下のフローチャートを用いて説明する。
イオンコースの標準メニューにおいては、まずカウンタｎを５に設定する。このカウンタｎは、図９に示洗浄すすすぎ工程の回数を設定するものである。カウンタｎの値は、選択された処理メニューに応じて異なる数字が設定される。次に制御部１１４は、水量センサ１１５からの信号に基づき、洗浄槽２内の洗浄水の量を判断する。
水量センサ１１５は、水面レベルのもっとも上の通常レベルを検出するためのセンサ１１５ｂと、比較的低レベルの水面を検出するセンサ１１５ａとからなっており、両水量センサからの信号に基づいて、制御部１１４は、洗浄槽２内の水のレベルを判断することができる。
ここに水量レベルが高、即ち、Ｓ１１においてＹＥＳと判断された場合には、排水弁１３３を所定の時間Ｔ１だけ開く（Ｓ１２）。また水量レベルが高でないと判断された場合には、排水弁１３３を所定の時間Ｔ２（Ｔ１＞Ｔ２）だけ開き排水する（Ｓ１３）。
【００１４】
次に給水弁Ｖ２が開かれ、水道水が図１に示す給水管１１０を通って洗浄槽２内に供給されていく（Ｓ１６）。
制御部１１４は、水量センサ１１５ａからの信号を取り込み、水量が低水位レベルに達しているか否かを判断する（Ｓ１８）。
水量が低水位レベルに達していなければ（Ｓ１８においてＮＯ）、処理をＳ１６に戻し、給水を続行する。
Ｓ１８において水量が低水位レベルに達していると判断された場合には、給水弁Ｖ２を閉じ（Ｓ１９）、続いてヒータ４がオンされる（Ｓ１７）。続いてＳ２０において水温センサ１１６からの信号に基づき、水温が所定の温度、例えば６０℃に達しているか否かを判断する。ここで水温が所定の温度に達していなければ（Ｓ２０においてＮＯ）、処理をＳ１７に戻す。
Ｓ２０において水温が所定の温度に達したと判断された場合、即ちＳ１８において水量が低水位レベルに達し、且つその温度が所定温度以上であると判断された場合には、Ｓ２１において、ヒータ４をオフする。
以上述べたＳ１０からＳ２１の処理によって、次に実施される霧化工程及び洗浄工程の準備が行なわれる。
上記準備工程が実行され、水道水が低水位レベルまで給水され、その温度が所定温度以上に達していると、次にＳ２２において洗浄槽２の下部に設けた超音波霧化ユニット１００ａの超音波振動子１００をオンする。
この超音波振動子のオン状態は、所定の値Ｔ３秒間維持される。その間に、制御部１１４は上記低水位の水に超高速の振動が与えられ、洗浄槽２内に微細な水粒、即ち霧が発生し、食器類４８の表面を濡らす。この霧状態により、食器表面の濡れが発生すると、食器表面に付着した汚れの分解或は水への溶け込みが促進され、その後の洗浄工程の効率化が著しく促進される。
上記のようにＳ２２において、超音波振動子１００により霧化作用が進んでいるうちに、Ｓ２３において給水弁Ｖ１が、所定の僅かな時間だけ開かれ、水道水が呼び水用導水管１０１を通り、その出口１０１ａから食塩槽４３内の呼び水給水室１０２に供給される。
すでに述べたように呼び水給水室１０２は、食塩室１０４と連通しており、呼び水導水管１０１から供給された水は、食塩室１０４に供給されるが、その量が多い場合には、呼び水給水室１０２の側壁に穿たれたオーバーフロー開口１０８から外部に排出されるので、呼び水導水管１０１から供給された水は、オーバーフロー開口１０８の下縁と同一面の最高水面レベル１０９以上に食塩室１０４に水が溜まることはない。
こうして食塩室１０４内に溜まった水によって食塩かご４４内の食塩が溶け出す。
前記したように食塩かご４４はその底面４４ａがフィルターで覆われており、上記した水面１０９より下に水没しているので食塩の溶け出しは確実に行なわれる。
【００１５】
続いてＳ２４において所定時間放置されることによって、食塩が十分に食塩室１０４内の水に融け込む。この放置時間は、水温により塩の溶解度が変ることから、前記水温センサ１１６による検出値に応じて設定される。
その後、給水弁Ｖ３が所定の僅かな時間だけ開弁される。図３に示す導水管１０６の出口１０６ａからサイフォンキャップ１０５との間の空間１０６ｂを通り、既にＳ２３で食塩槽４３内に供給されていた水と導水管１０６内の水とが繋がることになる。ここに給水弁Ｖ３の開く時間は僅かであるので、導水管１０６に供給された水の水圧は低く、導水管１０６に供給された水は、ボール弁Ｂ１を通って前記したように空間１０６ｂに供給される。
もちろんこの水量が多い場合には、その一部は給水管１１３を通って、その出口１１３ａから洗浄槽２内に供給されるが、その量は、既に洗浄槽２内に供給されている水の量と較べて僅かであるので無視し得る。
上記Ｓ２５における導水管１０６への僅かな給水が行なわれると、次にＳ２６において、給水弁Ｖ３が閉じられる。
この時、前記したように食塩室１０４内の水と、導水管１０６内の水とは図３に示すサイフォンキャップ１０５と導水管１０６との間の空間１０６ｂをみたす水によって連通され、サイフォンの状態となっているので、自重によりイオン交換槽３１を通って流下しようとする導水管１０６内の水に引かれて、食塩槽４３内の食塩水が導水管１０６からイオン交換槽３１に流れ込む。この時、イオン交換槽３１に連通する軟水給水管１１２の出口部１１２ａに設けられたボール弁Ｂ２は、自重により流下する水の水圧が低いので、導通状態となっており、食塩槽４３内の食塩水は、前記したように導水管１０６、イオン交換槽３１、軟水給水管１１２を通って、その出口１１２ａから洗浄槽２内に供給される。
この時イオン交換槽３１内のイオン交換体３２に固定されているＣａイオンや、Ｍｇイオンは、食塩中のＮａイオンと置き換えられ、食塩水と共に洗浄槽２内に供給される。
このように、本実施形態では、食塩槽４３内に水道水が所定時間保持されるので、食塩が水道水中によく溶けて、これによって洗浄槽２内には硬度成分であるＣａイオンや、Ｍｇイオンが多量に供給され、洗浄槽２内の水が濃度の高い硬水に生成される。
この間にも超音波振動子１００による霧化作用は続いており、食器類の表面に付着した汚れの軟化、分解などが進行する。そしてＳ２２における超音波振動子オンから所定のＴ３秒後にＳ２７で示すように超音波振動子１００がオフされる。
以上述べたように、超音波振動子１００のオン（Ｓ２２）からオフ（Ｓ２７）までが、霧化・硬水供給工程である。但し、必要に応じてＳ２２とＳ２７の超音波振動子による霧化作業を省略することも可能である。霧化処理を省略しても、本発明に特段の影響はない。
【００１６】
続いて図９に示す硬水による洗浄工程が開始される。
洗浄工程においては、十分な量の洗浄水が必要であるので、Ｓ３０において給水弁Ｖ２が開かれ、給水が始められる。給水は、上部の水量センサ１１５ｂが水面を検知するまで、即ち通常水位になるまで続けられる。
十分な水位が得られると、モータ８の駆動によりポンプ７がオンされ、洗浄槽２内に蓄積された硬水が回転ノズル１１から食器類４８に噴射され、硬水による洗浄が所定時間行なわれる（Ｓ３１）。
洗浄が終了すると、排水弁１３３が開かれ、洗浄槽２内の洗浄水が全部外部に排出される（Ｓ３２）。
上記Ｓ３０からＳ３２の処理が硬水洗浄の工程である。
次にすすぎ工程が開始される。
すすぎ工程に先立って、カウンタｎの値から１が減じられる（Ｓ４０）。
次にＳ４１において、カウンタｎの値が４以上であるか否かが判断される。カウンタｎの値は当初Ｓ１０において５に設定されているので、ここではｎ＝４となっているはずである。従ってＳ４１での判断はＹＥＳとなり、Ｓ５０以下のすすぎ１工程が開始される。
Ｓ５０においてはまず、給水弁Ｖ３が所定時間開かれる。給水弁Ｖ３の開かれる時間は、十分に長いので給水管１１１内の水圧は十分に高く、給水管１１１と連通する軟水給水管１１２の出口１１２ａに設けられたボール弁Ｂ２は、閉状態となり、出口１１２ａからの水の流出は阻止される。
従って、給水管１１１を通る水道水は、その全量がイオン交換槽３１に供給され、イオン交換体３２に沿って上昇する。
この時、イオン交換体３２は、前記Ｓ２５からＳ２６における塩水の流下によりその表面から硬度成分ＣａイオンやＭｇイオンが離脱し再生されているので、新たな水道水中のＣａイオンや、Ｍｇイオンを取り込み、水道水を軟水化させる。
こうして軟水となった水道水の圧力は前記した様に給水弁Ｖ３が長時間に渡って開かれているので十分に高い値に維持されており、導水管１０６内に流入しようとしても、高い水圧によって閉となっているボール弁Ｂ１により導水管１０６内に入ることが出来ず、その全量が給水管１１３を通ってその出口１１３ａから洗浄槽２内に供給される。
即ち洗浄槽２内に軟水が供給される。次にＳ５３において通常水位に達していれば、吸水弁Ｖ３を閉じる。
上記Ｓ５０とＳ５３の処理により軟水を供給し、ヒータ４がオンされ（Ｓ５１）、供給された軟水の温度を上昇せしめる。
【００１７】
Ｓ５１にてヒータをＯＮした後ポンプ７を回転せしめて、所定時間且つＳ５２での水温コントロールをしながら回転ノズル１１からの軟水の噴射を行い、軟水による食器類のすすぎを実行する（Ｓ５５）。
水温がＴｏに達したらヒータは、ＯＦＦされ、所定時間内に水温に合わせてヒータのＯＮ、ＯＦＦが繰り返される。上記軟水によるすすぎと同時に、Ｓ５６において所定時間超音波振動子１００を駆動して、霧を発生させ、食器類からの汚れ除去の効率化を促進することもできる。
上記のようにＳ５０からＳ５６までの処理が第１回目のすすぎ（すすぎ１）の処理であり、すすぎ１の工程が終了すると、処理は再度Ｓ４０のカウンタｎから１を減算する処理に戻る。
ここでカウンタｎの値は、３となるので、Ｓ４１の処理においてはＮＯと判断され、処理はＳ４２に進む。
ここではカウンタｎの値が３であるかが判断され、この時カウンタｎの値は２であるので、処理はＹＥＳとなり、２回目のすすぎ（すすぎ２）に移行する。
すすぎ２はすすぎ１と同じであっても場合によってすすぎの時間や、水温を変化させてもよい。
すすぎ２が終了すると、処理は再度Ｓ４０に戻り、カウンタｎの値から１を減じる。
その後処理はＳ４１に進み、ここでＮＯとなり、更にＳ４２において、カウンタｎは１であるので再度ＮＯとなる。
従って処理はＳ４３のカウンタｎが２以上であるかどうかの判断処理に進む。ここではカウンタｎ＝２であるので、判断はＹＥＳとなり、すすぎ３が開始される。
すすぎ３もすすぎ２と同様、すすぎ１或は２と同じ処理に設定されていてもよく、これらよりも更にすすぎ時間を長く、或は水温を上昇させたものであっても良い。
すすぎ３が終了すると、処理は再度Ｓ４０に戻り、カウンタｎの値から１が減算される。従ってカウンタｎの値は１となる。
従って処理は、Ｓ４０からＳ４１、Ｓ４２、Ｓ４３へと進み、Ｓ４３において、ＮＯとなるので、温水すすぎが次に実行される。
温水すすぎは、標準のすすぎ工程における最終工程であって、丁寧なすすぎのために、水温を更に上昇させ、更にすすぎ時間を十分に長く設定する。
上記のようにして温水すすぎが終了すると、処理は図１０の乾燥工程に進む。
上記したすすぎ１〜温水すすぎまでの各すすぎの回数、すすぎ時間、水温の設定は、「標準」「速洗」「ナイト」「念入り」「予洗い」等のメニューに対応して予めプログラム化されており、これらのデータが選択されたメニューに応じて採用される。
最後に乾燥工程においては、洗浄槽２中の蒸気成分を排出することが必要であり、まずヒータ４がオフされると共に、ファン１３４が例えば４０％などの所定の低負荷率で回転駆動され、洗浄槽２内の蒸気成分が排出される（Ｓ６０）。
続いて本格的な乾燥工程を開始するためにヒータ４がオンされ、ファン１３４が定格とおりの１００％の負荷率で回転駆動され、食器類の乾燥が進められる。
この所定時間の乾燥工程が終了すると、ヒータ４を停止させ、ファン１３４を１００％の負荷率で回転させることにより、食器類のクーリングが実行される（Ｓ６２）。
以上の乾燥工程（Ｓ６０〜Ｓ６２）が終了することによりイオンコースにおける標準メニューの洗浄、すすぎ、及び乾燥の処理がすべて終了する。
【００１８】
【実施例】
上記実施形態では、小さい水圧でのみ開弁して、少量の呼び水を食塩槽のサイフォンキャップに供給する弁として、ボール弁Ｂ１を採用し、給水弁Ｖ３を僅かな時間開ける事で上記小さい水圧を得るようにしているが、これを電磁弁などに置き換えることで、この電磁弁の開く時間を調整することで呼び水給水を行なうこともできる。
同様に、硬水供給時には開弁し、軟水供給時には閉弁するためにボール弁Ｂ２を使用しているが、これを電磁弁に置き換えることも可能である。
また上記実施形態では、イオンコースと、イオン＋洗剤コースを選択でき、更にこれらのコースの中で「標準」「速洗」「ナイト」「洗剤のみ」など多くのメニューを選択できるように構成されているが、これらのコースやメニューの選択は、本発明とは特に関係ないので、省略することも可能である。
【００１９】
【発明の効果】
本発明は以上述べたように構成されているので、洗浄槽内に十分な硬水が供給される。
また、イオン交換手段に供給される水道水が、イオン交換機に供給される前に洗浄槽に流入してしまう不都合が回避され、効率の良いすすぎ処理が実現される。
【図面の簡単な説明】
【図１】本発明の一実施形態にかかる食器洗い乾燥機の概念図。
【図２】従来の食器洗い乾燥機の概念図。
【図３】一実施形態に使用する食塩槽を示すもので、（ａ）は、その正面図、（ｂ）は、その平面図、（ｃ）Ｙ矢視図。
【図４】食塩槽の使用状態を示す斜視図。
【図５】一実施形態にかかる食器洗い乾燥機の制御ブロック図。
【図６】本発明の一実施例における食器洗い乾燥機の操作表示部をしめす図。
【図７】本発明の一実施例にかかる食器洗い乾燥機の制御に関するメインメニューを示すフローチャート。
【図８】イオンコース標準メニューの準備工程と、霧化工程を示すフローチャート。
【図９】同じく硬水洗浄工程と、すすぎ工程を示すフローチャート。
【図１０】同じく乾燥工程を示すフローチャート。
【符号の説明】
Ｂ　食器洗い乾燥機
２　　洗浄槽
４　　ヒータ
７　ポンプ
１１　回転ノズル
３１　イオン交換槽
３２　イオン交換体
４３　食塩槽
４４　食塩かご
４８　食器類
１００　超音波振動子
１０１　呼び水用導水管
１０２　呼び水給水室
１０４　食塩室
１０５　サイフォンキャップ
１０６　導水管
１０７　導水室
１０８　オーバーフロー開口
１０９　最高水面レベル
１１０　給水管
１１１　給水管
１１２　硬水給水管
１１３　軟水給水管
１１４　制御部
１１５　水量センサ
１１６　水温センサ
１１８　スタートスイッチ
Ｂ１　ボール弁
Ｂ２　ボール弁
Ｖ１，Ｖ２，Ｖ３　給水弁
【図１】
2004081705.tif 000003
【図２】
2004081705.tif 000004
【図３】
2004081705.tif 000005
【図４】
2004081705.tif 000006
【図５】
2004081705.tif 000007
【図６】
2004081705.tif 000008
【図７】
2004081705.tif 000009
【図８】
2004081705.tif 000010
【図９】
2004081705.tif 000011
【図１０】
2004081705.tif 000012